(57)【要約】【課題】自動ドアに電子錠を設けなくても、モバイル端末を用いて自動ドアを解錠することが可能な解錠システムおよび解錠方法を提供する。【解決手段】モバイル端末１０は、管理サーバ２０の位置を特定する特定情報を取得する。モバイル端末１０は、取得した特定情報に応じた管理サーバ２０に対して、基づいて、モバイル端末１０の利用者を認証するための識別コードを管理サーバ２０に送信する。管理サーバ２０は、識別コードを受信する。管理サーバ２０は、受信した識別コードに基づいて、利用者を認証する。管理部２３は、利用者の認証に成功した場合、自動ドアを解錠する解錠指示を解錠装置３０に送信する。【選択図】図１
2020016109.tif 000002
【特許請求の範囲】
【請求項１】
施錠されている開閉装置を解錠する解錠装置と通信可能な管理装置と、前記管理装置と通信可能な端末装置とを有する解錠システムであって、
前記端末装置は、
前記管理装置の位置を特定する特定情報を取得する取得部と、
前記特定情報に応じた前記管理装置に対して、前記端末装置の利用者を認証するための認証情報を送信する制御部と、を有し、
前記管理装置は、
前記端末装置から前記認証情報を受信する受信部と、
前記受信部が受信した認証情報に基づいて、前記利用者を認証し、前記利用者の認証に成功した場合、前記開閉装置を解錠する解錠指示を前記解錠装置に送信する管理部と、を有する、解錠システム。
【請求項２】
前記取得部は、２次元コードを読み取る読取部である、請求項１に記載の解錠システム。
【請求項３】
前記端末装置は、前記認証情報を送信するための送信権限情報を受信する通信部をさらに有し、
前記制御部は、前記特定情報に応じた前記管理装置に対して、前記送信権限情報の取得要求を送信し、その後、前記通信部が受信した送信権限情報に基づいて、前記認証情報を前記管理装置に送信し、
前記受信部は、前記端末装置から前記取得要求を受信し、
前記管理部は、前記端末装置が前記取得要求を受信すると、前記送信権限情報を前記端末装置に送信する、請求項１または２に記載の解錠システム。
【請求項４】
前記取得部は、前記開閉装置を認証するためのドア認証情報をさらに取得し、
前記取得要求は、前記ドア認証情報を含み、
前記管理部は、前記取得要求に含まれるドア認証情報に基づいて、前記開閉装置を認証し、前記開閉装置の認証に成功した場合、前記送信権限情報を前記端末装置に送信する、請求項３に記載の解錠システム。
【請求項５】
前記端末装置は、表示部と、前記認証情報を受け付ける入力部と、を有し、
前記制御部は、前記送信権限情報に従って前記認証情報の入力を要求する入力画面を前記表示部に表示し、前記入力部が受け付けた前記認証情報を前記管理装置に送信する、請求項３または４に記載の解錠システム。
【請求項６】
前記端末装置は、前記認証情報を記憶する記憶部を有し、
前記制御部は、前記送信権限情報に従って前記記憶部から前記認証情報を取得して前記管理装置に送信する、請求項３または４に記載の解錠システム。
【請求項７】
施錠されている開閉装置を解錠する解錠装置と通信可能な管理装置と、前記管理装置と通信可能な端末装置とを有する解錠システムによる解錠方法であって、
前記端末装置が、前記管理装置の位置を特定する特定情報を取得し、
前記端末装置が、前記特定情報に応じた前記管理装置に対して、前記端末装置の利用者を認証するための認証情報を送信し、
前記管理装置が、前記端末装置から前記認証情報を受信し、
前記管理装置が、前記受信された認証情報に基づいて、前記利用者を認証し、
前記管理装置が、前記利用者の認証に成功した場合、前記開閉装置を解錠する解錠指示を前記解錠装置に送信する、解錠方法。
【発明の詳細な説明】
【技術分野】
【０００１】
本発明は、鍵を解錠する解錠システムおよび解錠方法に関する。
【背景技術】
【０００２】
近年、スマートフォンのようなモバイル端末を用いて開閉装置の解錠を行うスマートロックと呼ばれる技術が注目されている。例えば、特許文献１には、モバイル端末が特定の電子錠と接続可能な位置に到達した場合、モバイル端末が電子錠との接続を確立し、その電子錠に対して解錠信号を送信することで、電子錠を解錠する技術が開示されている。
【先行技術文献】
【特許文献】
【０００３】
【特許文献１】特開２０１７−０１４７３６号公報
【発明の概要】
【発明が解決しようとする課題】
【０００４】
しかしながら、特許文献１に記載の技術は、モバイル端末と直接接続することができる特殊な電子錠を用いる必要があるため、汎用性が低いという問題がある。特に、マンションや公共施設などの建物のエントランスに設けられた自動ドアなどの開閉装置には、通信機能を備えた特殊な電子錠を新たに設けることは容易ではない。
【０００５】
本発明は、上記の問題を鑑みてなされたものであり、開閉装置に対して特殊な電子錠を新たに設けなくても、モバイル端末を用いて自動ドアを解錠することが可能な解錠システムおよび解錠方法を提供することを目的とする。
【課題を解決するための手段】
【０００６】
本発明による解錠システムは、施錠されている開閉装置を解錠する解錠装置と通信可能な管理装置と、前記管理装置と通信可能な端末装置とを有する解錠システムであって、前記端末装置は、前記管理装置の位置を特定する特定情報を取得する取得部と、前記特定情報に応じた前記管理装置に対して、前記端末装置の利用者を認証するための認証情報を送信する制御部と、を有し、前記管理装置は、前記端末装置から前記認証情報を受信する受信部と、前記受信部が受信した認証情報に基づいて、前記利用者を認証し、前記利用者の認証に成功した場合、前記開閉装置を解錠する解錠指示を前記解錠装置に送信する管理部と、を有する。
【０００７】
本発明による解錠方法は、施錠されている開閉装置を解錠する解錠装置と通信可能な管理装置と、前記管理装置と通信可能な端末装置とを有する解錠システムによる解錠方法であって、前記端末装置が、前記管理装置の位置を特定する特定情報を取得し、前記端末装置が、前記特定情報に応じた前記管理装置に対して、前記端末装置の利用者を認証するための認証情報を送信し、前記管理装置が、前記端末装置から前記認証情報を受信し、前記管理装置が、前記受信された認証情報に基づいて、前記利用者を認証し、前記管理装置が、前記利用者の認証に成功した場合、前記自動ドアを解錠する解錠指示を前記開閉装置に送信する。
【発明の効果】
【０００８】
本発明によれば、開閉装置に対して特殊な電子錠を設けなくても、モバイル端末を用いて開閉装置を解錠することが可能になる。
【図面の簡単な説明】
【０００９】
【図１】本発明の一実施形態に係る解錠システムの全体構成を示す構成図である。
【図２】本発明の一実施形態に係るモバイル端末の機能構成を示すブロック図である。
【図３】２次元コードの配置例を示す図である。
【図４】入力画面の一例を示す図である。
【図５】本発明の一実施形態に係る管理サーバの機能構成を示すブロック図である。
【図６】解錠システムの動作の一例を説明するためのシーケンス図である。
【発明を実施するための形態】
【００１０】
以下、本発明の実施形態について図面を参照して説明する。なお、各図面において同じ機能を有するものには同じ符号を付け、その説明を省略する場合がある。
【００１１】
＜解錠システムの構成＞
図１は、本発明の一実施形態に係る解錠システムの全体構成を示す構成図である。図１に示す解錠システム１は、モバイル端末１０と、管理サーバ２０と、解錠装置３０と、自動ドア４０とを有する。モバイル端末１０、管理サーバ２０および解錠装置３０は、ネットワーク１００を介して相互に通信可能に接続される。ネットワーク１００は、例えば、インターネットやモバイルネットワークなどを含む。解錠装置３０とネットワーク１００との間には、ゲートウェイなどの通信中継装置（図示せず）が設けられていてもよい。
【００１２】
モバイル端末１０は、解錠システム１の利用者にて使用される端末装置であり、本実施形態では、自動ドア４０を解錠するために使用される。モバイル端末１０は、例えば、スマートフォンなどである。自動ドア４０は、解錠可能に施錠される開閉装置である。自動ドア４０は、通常、施錠されている。自動ドア４０の種類や設置場所などは、特に限定されない。例えば、自動ドア４０は、マンションや公共施設などの建物のエントランスに備わった出入口用のドアとして用いられてもよいし、マンションや宿泊施設などに備わったエレベータのドアとして用いられてもよい。また、開閉装置は、自動ドア４０に限らず、マンションなどに設けられた宅配ボックスの開閉装置などでもよい。
【００１３】
図２は、モバイル端末１０の機能構成を示すブロック図である。図２に示すモバイル端末１０は、取得部１１と、通信部１２と、入力部１３と、記憶部１４と、表示部１５と、制御部１６とを有する。
【００１４】
取得部１１は、管理サーバ２０のネットワーク１００上の位置を特定する特定情報と、解錠する自動ドアである自動ドア４０を認証するためのドア認証情報とを取得する。取得部１１は、本実施形態では、カメラまたはスキャナのような２次元コードを読み取る読取部であり、特定情報およびドア認証情報を示す２次元コードを読み取ることで、特定情報およびドア認証情報を取得する。
【００１５】
特定情報は、例えば、ＵＲＬ（Uniform Resource Locator）などである。ドア認証情報は、本実施形態では、自動ドア４０を識別するドア識別情報である。２次元コードは、解錠する自動ドア４０またはその近傍に配置されることが望ましい。
【００１６】
図３は、２次元コードの配置例を示す図である。図３の例では、２次元コードを印刷した印刷物２００が自動ドア４０に直接貼り付けられている。なお、２次元コードは、図３に示したように印刷物２００として設けられる代わりに、インターホン集合機や他の表示装置などに備わった表示画面などに表示されてよい。
【００１７】
また、取得部１１は、読取部の代わりに、ＮＦＣ（Near Field Communication）方式のような近距離無線通信などを用いて特定情報およびドア認証情報を取得する無線通信部などを用いてもよい。この場合、例えば、近距離無線通信などを用いて特定情報およびドア認証情報を送信する送信器（図示せず）が自動ドア４０の近傍に設けられる。
【００１８】
通信部１２は、ネットワーク１００を介して管理サーバ２０と通信可能に接続する。通信部１２は、管理サーバ２０から、自動ドア４０を解錠するための識別コードの送信するための送信権限情報を受信する。識別コードは、利用者を認証する認証情報であり、本実施形態では、利用者を識別する情報である。識別コードは、利用者に予め割り当てられた解錠システム独自のコードでもよいし、電話番号のようなモバイル端末１０に予め登録されている固有番号でもよい。
【００１９】
入力部１３は、利用者から種々の情報を受け付ける。例えば、入力部１３は、利用者から識別コードを受け付ける。記憶部１４は、種々の情報を記憶する。例えば、記憶部１４は、固有番号を記憶する。表示部１５は、種々の情報を表示する。
【００２０】
制御部１６は、モバイル端末１０全体を制御する。例えば、取得部１１が特定情報およびドア認証情報を取得すると、制御部１６は、特定情報に応じた管理サーバ２０に対して、送信権限情報の取得を要求する取得要求を送信する。取得要求は、取得部１１が取得したドア認証情報を含む。
【００２１】
また、制御部１６は、通信部１２が送信権限情報を受信すると、その送信権限情報に基づいて、識別コードを管理サーバ２０に送信する。
【００２２】
具体的には、制御部１６は、先ず、送信権限情報が示す入力画面を表示部１５に表示する。図４は、入力画面の一例を示す図である。図４では、モバイル端末１０の表示部１５に表示された入力画面３００が示されている。入力画面３００は、識別コードを入力するための入力ボックス３０１と、識別コードの入力を確定する確定ボタン３０２とを含む。
【００２３】
続いて、制御部１６は、入力部１３が識別コードを受け付けると、その識別コードを含む解錠指示を管理サーバ２０に送信する。図４で示した入力画面３００を表示した場合、制御部１６は、入力部１３が受け付けた識別コードをその識別コードを入力ボックス３０１内に表示する。その後、確定ボタン３０２が押下されると、制御部１６は、解錠指示を解錠装置３０に送信する。
【００２４】
なお、識別コードが電話番号などの固有番号の場合、制御部１６は、記憶部１４から識別コードを取得して、その識別コードを含む解錠指示を管理サーバ２０に送信してもよい。この場合、制御部１６は、通信部１２が送信権限情報を受信すると、入力画面を表示せずに、解錠指示を管理サーバ２０に送信してもよいし、入力ボックス３０１内に識別コードを入れた状態で入力画面３００を表示してもよい。
【００２５】
以上により、制御部１６は、取得部１１が取得した特定情報に応じた管理サーバ２０に対して、認証コードを送信することになる。
【００２６】
図１の説明に戻る。管理サーバ２０は、解錠装置３０を管理する管理装置である。管理サーバ２０は、解錠システム１を管理する管理者にて運営される。管理サーバ２０は、複数の解錠装置３０を管理してもよい。
【００２７】
図５は、管理サーバ２０の機能構成を示すブロック図である。図５に示す管理サーバ２０は、格納部２１と、接続部２２と、管理部２３とを有する。
【００２８】
格納部２１は、解錠装置３０を管理するための管理情報を格納する。管理情報は、自動ドアを識別するドア識別情報ごとに、そのドア識別情報にて識別される自動ドアを解錠することが可能な利用者に関する利用者情報を示す。利用者情報は、利用者の識別コードを含む。
【００２９】
接続部２２は、ネットワーク１００を介してモバイル端末１０および解錠装置３０と通信可能に接続する。例えば、接続部２２は、モバイル端末１０から取得要求および解錠指示を受信する受信部として機能する。
【００３０】
管理部２３は、管理サーバ２０全体を管理する。例えば、管理部２３は、接続部２２が取得要求を受信すると、その取得要求に含まれるドア認証情報に基づいて、自動ドア４０の認証を行う。本実施形態では、管理部２３は、ドア認証情報であるドア識別情報が格納部２１に格納されているか否かを判断し、ドア識別情報が格納部２１に格納されている場合、認証を成功と判断し、ドア識別情報が格納部２１に格納されていない場合、認証を失敗と判断する。
【００３１】
認証に成功した場合、管理部２３は、送信権限情報を生成して、取得要求の送信元であるモバイル端末１０に送信する。
【００３２】
また、管理部２３は、接続部２２が解錠指示を受信すると、その解錠指示に含まれる識別コードに基づいて、利用者を認証して、自動ドア４０の解錠を許可するか否かを判断する。本実施形態では、管理部２３は、解錠指示に含まれる識別コードが取得要求に含まれるドア識別情報（ドア認証情報）と対応付けられて格納部２１に格納されているか否かを判断する。管理部２３は、識別コードが取得要求に含まれるドア識別情報と対応付けられて格納されている場合、利用者の認証を成功と判断し、識別コードが取得要求に含まれるドア識別情報と対応付けられて格納されていない場合、利用者の認証を失敗と判断する。
【００３３】
利用者の認証に成功した場合、管理部２３は、自動ドア４０の解錠を許可して、解錠指示を解錠装置３０に転送する。
【００３４】
図１の説明に戻る。解錠装置３０は、自動ドア４０を解錠するための装置であり、モバイル端末１０から管理部２３を介して解錠指示を受信し、その解錠指示に従って自動ドア４０を解錠する解錠処理を行う。
【００３５】
解錠装置３０による解錠処理の具体的な方法は、特に限定されない。例えば、解錠処理は、一般的な自動ドアなどに備わっているａ接点制御端子に対して、自動ドアを開放させるための駆動信号（具体的には、自動ドア４０の開閉動作を行うａ接点スイッチをオンにするための駆動信号）であるａ接点信号を入力する処理である。また、解錠処理は、自動ドア４０の内側（自動ドア４０が設けられた建物側）に設けられた、自動ドア４０を開閉するための人感センサ（赤外線センサなど）を物理的に作動させる作動装置を駆動する処理でもよい。作動装置は、例えば、人感センサの検出範囲に遮蔽物を挿入する装置などである。また、解錠処理は、自動ドア４０を遠隔する遠隔操作装置（例えば、自動ドア４０の製造メーカが管理するクラウドサーバなど）に自動ドア４０の解錠を要求する処理などでもよい。
【００３６】
（動作の説明）
図６は、解錠システム１の動作の一例を説明するためのシーケンス図である。
【００３７】
先ず、利用者はモバイル端末１０の取得部１１に対して自動ドア４０またはその近傍に貼り付けられている２次元コードを読み取らせる。取得部１１は、読み取った２次元コードを示すコード情報を制御部１６に送信する（ステップＳ５０１）。制御部１６は、コード情報を受信し、そのコード情報から特定情報およびドア認証情報を抽出する。制御部１６は、特定情報に応じた管理サーバ２０に対して、通信部１２およびネットワーク１００を介して接続する。制御部１６は、ドア認証情報を含む取得要求を生成し、その取得要求を通信部１２およびネットワーク１００を介して送信に管理サーバ２０送信する（ステップＳ５０２）。
【００３８】
管理サーバ２０の接続部２２は、取得要求を受信すると、その取得要求を管理部２３に送信する。管理部２３は、取得要求を受信すると、その取得要求に含まれるドア認証情報であるドア識別情報が格納部２１に格納されているか否かを判断することで、自動ドア４０を認証する（ステップＳ５０３）。
【００３９】
ここでは、ドア識別情報が格納部２１に格納されているとする。この場合、管理部２３は、自動ドア４０の認証を成功と判断して、送信権限情報を生成し、その送信権限情報を、接続部２２およびネットワーク１００を介して取得要求の送信元であるモバイル端末１０に送信する（ステップ５０４）。
【００４０】
モバイル端末１０の通信部１２は、送信権限情報を受け付けると、その送信権限情報を制御部１６に送信する。制御部１６は、送信権限情報を受信すると、その送信権限情報が示す入力画面を表示部１５に表示する（ステップＳ５０５）。その後、入力部１３が識別コードを受け付けると、制御部１６は、その識別コードを含む解錠指示を生成し、その解錠指示を通信部１２およびネットワーク１００を介して送信に管理サーバ２０に送信する（ステップＳ５０６）。
【００４１】
管理サーバ２０の接続部２２は、解錠指示を受信すると、その解錠指示を管理部２３に送信する。管理部２３は、解錠指示を受信すると、その解錠指示に含まれる識別コードがステップＳ５０３で受信した取得要求に含まれるドア識別情報と対応付けられて格納部２１に格納されているか否かを判断することで、利用者を認証する（ステップＳ５０７）。
【００４２】
ここでは、識別コードがドア識別情報と対応付けられて格納されているとする。この場合、管理部２３は、認証に成功したと判断し、解錠指示を、接続部２２およびネットワーク１００を介して解錠装置３０に送信する（ステップＳ５０８）。
【００４３】
解錠装置３０は、解錠指示を受信すると、その解錠指示に従って自動ドアを解錠する解錠処理を実行し（ステップＳ５０９）、処理を終了する。
【００４４】
なお、ステップ５０３でドア識別情報が格納されていない場合や、ステップＳ５０７で識別コードがドア識別情報と対応付けられて格納されていない場合、管理部２３は、エラーメッセージを生成し、そのエラーメッセージを、接続部２２およびネットワーク１００を介してモバイル端末１０に送信してもよい。この場合、モバイル端末１０の通信部１２がエラーメッセージを受信し、制御部１６がそのエラーメッセージを表示部１５に表示する。
【００４５】
以上説明したように本実施形態によれば、モバイル端末１０の取得部１１は、管理サーバ２０の位置を特定する特定情報を取得する。制御部１６は、取得部１１が取得した特定情報に応じた管理サーバ２０に対して、モバイル端末１０の利用者を認証するための識別コードを送信する。管理サーバ２０の接続部２２は、識別コードを受信する。管理部２３は、接続部２２が受信した識別コードに基づいて、利用者を認証する。管理部２３は、利用者の認証に成功した場合、自動ドア４０を解錠する解錠指示を解錠装置３０に送信する。したがって、モバイル端末１０と通信可能な電子錠を自動ドア４０に設けなくても、モバイル端末１０を用いて自動ドア４０を解錠することが可能になる。
【００４６】
また、本実施形態では、取得部１１は、２次元コードを読み込むことで特定情報を取得するため、自動ドア４０を容易に解錠することが可能になる。
【００４７】
以上説明した各実施形態において、図示した構成は単なる一例であって、本発明はその構成に限定されるものではない。
【００４８】
例えば、モバイル端末１０および管理サーバ２０の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【００４９】
１０  モバイル端末
１１  取得部
１２  通信部
１３  入力部
１４  記憶部
１５  表示部
１６  制御部
２０  管理サーバ
２１  格納部
２２  接続部
２３  管理部
３０  解錠装置
４０  自動ドア
１００  ネットワーク
【図１】
2020016109.tif 000003
【図２】
2020016109.tif 000004
【図３】
2020016109.tif 000005
【図４】
2020016109.tif 000006
【図５】
2020016109.tif 000007
【図６】
2020016109.tif 000008